(57)【要約】【課題】  簡易な構造によって、容易に軸受けを行うことが可能なヒンジ構造を備える遊技機を提供することを課題とする。【解決手段】  本発明を適用した遊技機によれば、支軸９０ａを軸受け２２ａに対して水平に侵入させることにより、支軸９０ａを軸受け２２ａに軸受けさせることができる。従って、支軸９０ａが取り付けられた機構板８０を上方に移動させなくても良いため、外枠１０と機構板８０とのクリアランスＣが小さくても、外枠１０を取り外すことなく機構板８０を本体枠２０に枢支させることができる。合成樹脂部材２４によれば簡易な構成で済むため、部品コストやリサイクル性が悪化することもない。【選択図】  図１０
2005296273.tif 000002
【特許請求の範囲】
【請求項１】
遊技部材を保持する本体枠と、
矩形枠状に形成され上記本体枠の背面側が嵌め込まれる外枠と、
上記本体枠の背面側に配設されるカバー体と、
複数対の軸受けと軸方向が略鉛直となる支軸とからなり上記カバー体と上記本体枠とを回動可能に連結するヒンジ構造と、
上記ヒンジ構造における少なくとも一個の上記軸受けに形成され、略円柱状の上記支軸を挿入させる略円形の軸穴と、
上記軸穴の円周を構成する金属部材、および、可撓性を有する合成樹脂部材と、
上記軸穴の外部において、それぞれ上記金属部材と上記合成樹脂部材で構成された二辺からなり、奥部を同軸穴に接続させた略Ｖ字状の案内部とを具備することを特徴とする遊技機。
【請求項２】
上記ヒンジ構造は二対の上記支軸と上記軸受けとからなり、上記軸穴は上方の上記軸受けに形成されるとともに、
上記カバー体の上方における同カバー体と上記外枠とのクリアランスは、下方の上記軸受けに形成された軸受け穴に上記支軸を上方から挿入させるストロークよりも小さく形成されることを特徴とする請求項１に記載の遊技機。
【請求項３】
上記案内部を覆う保護部が上記カバー体を延設して形成されることを特徴とする請求項１または請求項２のいずれかに記載の遊技機。
【発明の詳細な説明】
【技術分野】
【０００１】
本発明は遊技機に関し、特に、遊技機の背面側にカバー体が備えられる遊技機に関する。
【背景技術】
【０００２】
従来、この種の遊技機として、本体枠の背面に備えられるカバー体をヒンジ構造によって回動可能に枢支したものが知られている（例えば、特許文献１、参照。）。
かかる構成によれば、ヒンジ構造における軸穴の可動部分が移動することにより、軸穴を開放させることが可能となっており、同開放した軸穴に支軸を差し込むことが可能であった。軸穴に支軸が差し込まれると、バネにより付勢された軸穴の可動部分が元の状態に復帰して、再び軸穴を閉鎖させる。従って、容易に軸穴に対する支軸の軸受けを行うことが可能となっていた。
【特許文献１】特開平１０−３１４４１２号公報
【発明の開示】
【発明が解決しようとする課題】
【０００３】
しかしながら、上述したヒンジ構造において可動部分を元の状態に復帰させるためのバネ等を備えさせなければならず、構造や組み立て作業が複雑化し、部品コストが高くなるという課題があった。むろん、ヒンジ構造の分解も困難となるためリサイクル性が悪いという課題もあった。
本発明は、上記課題にかんがみてなされたもので、簡易な構造によって、容易に軸受けを行うことが可能なヒンジ構造を備える遊技機の提供を目的とする。
【課題を解決するための手段】
【０００４】
上記目的を達成するため、請求項１にかかる発明では、遊技部材を保持する本体枠と、矩形枠状に形成され上記本体枠の背面側が嵌め込まれる外枠と、上記本体枠の背面側に配設されるカバー体と、複数対の軸受けと軸方向が略鉛直となる支軸とからなり上記カバー体と上記本体枠とを回動可能に連結するヒンジ構造と、上記ヒンジ構造における少なくとも一個の上記軸受けに形成され、略円柱状の上記支軸を挿入させる略円形の軸穴と、上記軸穴の円周を構成する金属部材、および、可撓性を有する合成樹脂部材と、上記軸穴の外部において、それぞれ上記金属部材と上記合成樹脂部材で構成された二辺からなり、奥部を同軸穴に接続させた略Ｖ字状の案内部とを具備する構成としてある。
【０００５】
上記のように構成した請求項１に記載の発明において、本体枠は例えば遊技盤等の遊技部材を保持し、同本体枠は背面側が矩形枠状に形成された外枠に嵌め込まれる。上記本体枠の背面側にはカバー体が備えられる。複数対の支軸と軸受けから構成されるヒンジ構造が備えられ、同ヒンジ構造によって上記カバー体は上記本体枠と回動可能に連結される。また、上記ヒンジ構造における少なくとも一個の上記軸受けには略円形の軸穴が形成され、同軸穴の円周は金属部材と可撓性を有する合成樹脂部材とから構成される。上記軸穴の外部には奥部を同軸穴に接続させた略Ｖ字状の案内部が形成され、同案内部を構成する二辺はそれぞれ上記金属部材と上記合成樹脂部材で構成される。
【０００６】
かかる構成により、上記支軸の軸方向に略直交する略水平方向において同支軸を上記案内部の開口から奥部に向かって侵入させることができる。略Ｖ字状の上記案内部の一辺を構成する上記合成樹脂部材は可撓性を有しているため、上記支軸の侵入とともに上記案内部は同合成樹脂部材が撓ませられて押し広げられる。上記案内部は奥部にて上記軸穴と接続しているため、同支軸が同奥部に到達したところで、同支軸を上記軸穴の中に導入させることができる。さらに、上記軸穴は略円形に形成されているため、上記支軸が上記軸穴に到達した状態においては、上記合成樹脂部材は同支軸と干渉することなく原形状に復帰することができる。従って、上記支軸を上記軸穴において軸受けすることができる。このように、上記支軸を略水平方向に移動させることにより同支軸を上記軸穴に軸受けさせることができるため、上記カバー体の上記本体枠に対する組み付け作業を容易化させることができる。また、バネ等を備える必要がないため、部品コストや生産コスト等も高くならない。
【０００７】
なお、上記案内部と接続する上記軸穴は上記ヒンジ構造における複数の上記軸受けのうち少なくとも一個に形成されれば良く、全ての上記軸受けに対して上記軸穴を備えるものに限られない。例えば、上記軸受けと上記支軸とが二対備えられ、そのうち一個の上記軸受けに上記軸穴が形成された場合には、同軸穴が形成されない上記軸受けに対して上記支軸を軸方向に差し込みつつ、同軸穴が形成される上記軸受けに対しては上記案内部に対して同支軸を軸方向に略直交する略水平方向に侵入させることにより上下二対の軸受けを行うことができる。また、上記軸穴が形成されない上記軸受けにおいては上記支軸を軸方向に挿入させることができる単純な軸受け穴によって軸受けさせても良いし、他の構造により同支軸を軸受けさせても良い。
【０００８】
また、請求項２にかかる発明では、上記ヒンジ構造は二対の上記支軸と上記軸受けとからなり、上記軸穴は上方の上記軸受けに形成されるとともに、
上記カバー体の上方における同カバー体と上記外枠とのクリアランスは、下方の上記軸受けに形成された軸受け穴に上記支軸を上方から挿入させるストロークよりも小さく形成される構成としてある。
【０００９】
上記のように構成した請求項２に記載の発明において、上記ヒンジ構造は二対の上記支軸と上記軸受けとからなり、上方に備えられる上記軸受けに軸受け穴が形成される。上記カバー体と上記本体枠が背面側から嵌め込まれる上記外枠とのクリアランスが同カバーの上方に形成される。このクリアランスは、下方の上記軸受けに形成された軸受け穴に上記支軸を上方から挿入させるストロークよりも小さくされる。
【００１０】
すなわち、上記ヒンジ構造のうち下方の上記軸受けに形成された軸受け穴に上方から上記支軸を挿入させることにより、当該軸受けにおいて軸受けが行われる。従って、このときのストロークより多く上記カバー体を上方に持ち上げることにより、上記支軸が上記軸受け穴から抜けて当該軸受けにおける軸受けを解除することができる。一方、上記カバー体の上方における上記外枠とのクリアランスの範囲において同カバー体を上方に持ち上げることができる。なお、それ以上は上記カバー体と上記外枠とが干渉するため持ち上げることができない。従って、上記外枠に上記本体枠を嵌め込んだ状態においては、下方の上記軸受けと上記支軸との軸受け状態を解除することが不可能となり、上記カバー体が上記本体枠から取り外されることを防止することができる。
【００１１】
ただし、上記カバー体を上記ヒンジ機構にて枢着させるときには、上記カバー体の上方部分が上記外枠の外側に位置するように同カバー体を傾倒させることにより、予め下方の上記軸受け穴に上記支軸を挿入させておくことができる。このとき、上記外枠の外側に上記カバー体の上方部分が位置するため、同外枠と同カバー体とを干渉させることなく上記ストロークの分だけ上記カバー体を持ち上げることができる。一方、上方の上記軸受けには上記軸穴および上記案内部が形成されるため、上記支軸を略水平方向に侵入させて軸受けを行うことができる。すなわち、上記カバー体を上方に持ち上げることなく上方の上記軸受けにて軸受けを行うことができる。従って、このとき上記カバー体の上方部分と上記外枠とが干渉することはない。
【００１２】
すなわち、上記外枠を上記本体枠に取り付けた状態においては上記カバー体の上記本体枠に対する枢着が解除されることを防止するとともに、上記外枠を上記本体枠から取り外したり回動させたりしなくても上記カバー体を上記本体枠に枢着させることができる。すなわち、不正防止性と組み付けの容易性を両立させることができる。
【００１３】
また、請求項３にかかる発明では、上記案内部を覆う保護部が上記カバー体を延設して形成される構成としてある。
上記のように構成した請求項３に記載の発明において、上記カバー体を延設して形成された保護部によって上記案内部が覆われる。すなわち、上記案内部における上記合成樹脂部材が押し広げられることにより上記軸穴に対する上記支軸の軸受けが解除されるが、同案内部を上記保護部によって覆うことにより上記軸穴に対する上記支軸の軸受けが解除されることを防止することができる。
本発明は、上記の構成に限られるものではなく、以下の手段も含むものである。 
【００１４】
手段１
手段１にかかる発明は、請求項１から請求項３のいずれかに記載の発明において、
上記合成樹脂部材はクランク状に屈曲した形状とされるとともに、
その一端にて上記金属部材に対して固定され、もう一端にて上記案内部が形成される構成としてある。
【００１５】
すなわち、上記合成樹脂部材をクランク状に形成することにより、同合成樹脂部材における両端の距離を長く形成することができる。従って、上記合成樹脂部材の撓み量を大きくすることができる。また、クランク状とすることにより上記合成樹脂部材は複数の方向に撓むことが可能となる。従って、上記案内部に対する上記支軸の侵入に対して、上記合成樹脂部材を滑らかに追従させることができる。
【００１６】
手段２
手段２にかかる発明は、請求項２、請求項３、手段１のいずれかに記載の発明において、上記案内部が形成されない上記軸受けには上記支軸を挿入させるための上記軸受け穴が長穴状に形成される構成としてある。
すなわち、上記支軸が挿入される上記軸受け穴を長穴とすることにより、同支軸を差し込んだときに同長穴の長径方向に遊びを形成することができる。従って、上記カバー体を傾倒させた状態でも上記軸受け穴に上記支軸を挿入させることができる。
【００１７】
手段３
手段３にかかる発明は、手段２に記載の発明において、上記長穴の長径方向は前後方向である構成としてある。
すなわち、上記長穴の長径方向を前後方向に形成することにより、上記長穴に挿入された上記支軸を前後方向に傾倒させることができる。すなわち、前後方向に上記カバー体が傾倒することによって最短距離にて上記カバー体の上方部分を上記遊技盤と略平行な上記外枠の外部に位置させることができる。
【００１８】
手段４
手段４にかかる発明は、請求項１から請求項３、または、手段１から手段３のいずれかに記載の発明において、上記案内部における上記支軸の案内方向は前後方向から傾斜し、上記合成樹脂部材が構成する辺のみが背面側に対面する構成としてある。
すなわち、上記支軸を前面側に押し込む際に、上記合成樹脂部材のみを上記支軸と接触させることができる。従って、上記支軸を上記遊技盤に直交する方向に押し込む荷重により、確実に上記合成樹脂部材を撓ませることができる。
【００１９】
手段５
手段５にかかる発明は、請求項１から請求項３、または、手段１から手段４のいずれかに記載の発明において、前後方向における上記軸穴の中心位置からオフセットされた位置にて上記案内部の奥部が同軸穴と接続する構成としてある。
すなわち、上記カバー体を背面側に真っ直ぐに引っ張るとき、移動の先頭となる支軸の中心位置の背面側から上記案内部の奥部と上記軸穴との接続部がオフセットされるため、同接続部に同支軸が割り込んでいくことを防止することができる。従って、同支軸が上記合成樹脂部材を押し広げて上記軸穴から抜けることを防止することができる。
【００２０】
手段６
手段６にかかる発明は、請求項１から請求項３、または、手段１から手段５のいずれかに記載の発明において、上記軸穴の円周における上記金属部材の構成割合は約５０％とされる構成としてある。
すなわち、上記軸穴の円周における上記金属部材の構成割合を最低限５０％確保することにより、上記支軸を上記軸穴に導入させることができる。できるだけ上記金属部材の構成割合を確保することにより、上記軸穴の強度を確保することができる。
【００２１】
手段７
手段７にかかる発明は、請求項１から請求項３、または、手段１から手段６のいずれかに記載の発明において、上記案内部の開口角度は奥部に近づくにつれて小さくされる構成としてある。
【００２２】
すなわち、上記案内部の開口角度を奥部に近づくにつれて小さくすることにより、上記支軸が奥部に侵入するするにつれて次第に押し広げられる略Ｖ字状の上記案内部と上記支軸との接触角が直角に近づくことを防止することができる。すなわち、上記支軸が奥部に侵入するにつれて上記案内部と上記支軸との摩擦抵抗が増加することを防止することができる。
【００２３】
手段８
手段８にかかる発明は、請求項１から請求項３、または、手段１から手段７のいずれかに記載の発明において、上記カバー体が回動する際に上記カバー体と上記外枠とが干渉する構成としてある。
【００２４】
すなわち、上記外枠に上記本体枠が嵌め込まれた状態において上記カバー体を自由に開放させないようにすることができる。従って、遊技機の稼働時に上記カバー体が開放されて不正がされることを防止することができる。
【００２５】
手段９
手段９にかかる発明は、請求項１から請求項３、または、手段１から手段８のいずれかに記載の発明において、上記カバー体は上記遊技機のメイン基板を収容する制御ボックスを背面側から覆う構成としてある。
すなわち、メイン基板を収容する制御ボックスを背面側から上記カバー体が保護することができるため、同制御ボックスが不正に取り外されることを防止することができる。
【００２６】
手段１０
手段１０にかかる発明は、請求項１から請求項３、または、手段１から手段９のいずれかに記載の発明において、上記カバー体は各種機構部材が取り付けられた機構板である構成としてある。
すなわち、各種機構部材が取り付けられた機構板に対して本発明を適用することも可能である。
【００２７】
手段１１
手段１１にかかる発明は、請求項１から請求項３、または、手段１から手段１０のいずれかに記載の発明において、上記合成樹脂部材はポリアセタール（ＰＯＭ）を素材とする構成としてある。
すなわち、上記合成樹脂部材の素材の好適な一例として、ポリアセタールを挙げることができる。ポリアセタールによれば、曲げ弾性率が約２５８０ＭＰａと低く、曲げ強度も約９６ＭＰａと良好であるため、上記合成樹脂部材を破断させることなく容易に上記軸穴に上記支軸を侵入させることができる。
【００２８】
手段１２
手段１２にかかる発明は、請求項１から請求項３、または、手段１から手段１０のいずれかに記載の発明において、上記合成樹脂部材はポリエチレンテレフタレート（ＰＥＴ）を素材とする構成としてある。
すなわち、上記合成樹脂部材の素材の好適な別の一例として、ポリエチレンテレフタレートを挙げることができる。ポリエチレンテレフタレートによれば、曲げ強度が約２１０ＭＰａと良好であるため、上記合成樹脂部材を破断させることなく上記軸穴に上記支軸を侵入させることができる。
【００２９】
手段１３
手段１３にかかる発明は、請求項１から請求項３、または、手段１から手段１０のいずれかに記載の発明において、上記合成樹脂部材はポリエーテルイミド（ＰＥＩ）を素材とする構成としてある。
すなわち、上記合成樹脂部材の素材の好適な別の一例として、ポリエーテルイミドを挙げることができる。ポリエーテルイミドによれば、曲げ弾性率が約３３００ＭＰａと低く、曲げ強度も約１４５ＭＰａと良好であるため、上記合成樹脂部材を破断させることなく容易に上記軸穴に上記支軸を侵入させることができる。
【００３０】
手段１４
手段１４にかかる発明は、請求項１から請求項３、または、手段１から手段１０のいずれかに記載の発明において、上記合成樹脂部材はポリエーテルエーテルケトン（ＰＥＥＫ）を素材とする構成としてある。
すなわち、上記合成樹脂部材の素材の好適な別の一例として、ポリエーテルエーテルケトンを挙げることができる。ポリエーテルエーテルケトンによれば、曲げ弾性率が約３６２０ＭＰａと低く、曲げ強度も約１７０ＭＰａと良好であるため、上記合成樹脂部材を破断させることなく容易に上記軸穴に上記支軸を侵入させることができる。
【００３１】
手段１５
手段１５にかかる発明は、請求項１から請求項３、または、手段１から手段１４のいずれかに記載の発明において、上記合成樹脂部材に対して同合成樹脂部材の撓み方向の反対側から当接する規制部が上記カバー体を延設して形成される構成としてある。
すなわち、上記カバー体を延設して形成した規制部が上記合成樹脂部材に対して同合成樹脂部材の撓み方向の反対側から当接する。このようにすることにより、上記軸穴に上記支軸の軸受けがなされた後に上記合成樹脂部材が撓まされて、軸受けが解除されることを防止することができる。
【００３２】
手段１６
手段１６にかかる発明は、請求項１から請求項３、または、手段１から手段１５のいずれかに記載の発明において、上記遊技機はパチロットであり、同パチロットの背面側に備えられた上記カバー体を上記金属部材と上記合成樹脂部材からなる上記案内部を有する上記軸受けにて枢支する構成としてある。
すなわち、パチロットに対しても本発明を同様に適用することができる。
なお、パチロットは、メダルの代わりに一定数のパチンコ球を使用して絵合わせを行うパチンコ機とスロットマシンの両方の特徴を備えた遊技機である。
【発明の効果】
【００３３】
以上説明したように、請求項１にかかる発明によれば、簡易な構造によって、容易に軸受けを行うことが可能なヒンジ構造を備える遊技機を提供することができる。
手段１にかかる発明によれば、遊技機の稼働時においてカバー体が取り外される不正を防止することができる
手段２にかかる発明によれば、案内部が破壊されてカバー体が取り外される不正を防止することができる
手段３にかかる発明によれば、合成樹脂部材の撓み量を十分なものとし、同合成樹脂部材が破断することを防止することができる。
【００３４】
手段４にかかる発明によれば、少ない力で支軸を軸穴に侵入させることができる。
手段５にかかる発明によれば、カバー体が背面側に強引に引き剥がされることを防止することができる。
手段６にかかる発明によれば、軸穴の強度を確保することができる。
手段７にかかる発明によれば、一定の力で軸穴に支軸を侵入させることができる。
【００３５】
手段８にかかる発明によれば、不正にカバー体が開放されることを防止することができる。
手段９にかかる発明によれば、メイン基板に対して不正が行われることを防止することができる。
手段１０にかかる発明によれば、機構板を容易に枢着することができる。
手段１１から手段１４にかかる発明によれば、合成樹脂部材の素材として好適なものを提供することができる。
手段１５にかかる発明によれば、合成樹脂部材が撓まされてカバー体が取り外される不正を防止することができる
手段１６にかかる発明によれば、不正が困難なパチロットを提供することができる。
【発明を実施するための最良の形態】
【００３６】
以下、下記の順序に従って本発明の実施形態を説明する。
（１）パチンコ遊技機の構成：
（２）ヒンジ構造について：
（３）機構板の取り付けについて：
（４）第二の実施形態：
（５）第三の実施形態：
（６）第四の実施形態：
（７）まとめ：
【００３７】
（１）パチンコ遊技機の構成：
図１は、本発明にかかる遊技機を適用したパチンコ遊技機を前面側から見て示している。同図において、パチンコ遊技機１の外枠１０は、鋼材をプレス加工あるいは木材枠を組み合わせて形成されている。この外枠１０は、矩形板状の樹脂製の本体枠２０よりも僅かに大きいサイズの矩形開口１０ａを有している。この本体枠２０は、矩形開口１０ａの図に向かって左端にて枢支されており、図示しない回転軸を中心に回動し、外枠１０に対して開閉可能かつ着脱可能に装着されている。本体枠２０の上方部分には矩形開口２０ａが形成されており、同矩形開口２０ａよりも外形がわずかに小さく形成された略板状の遊技盤３０が同矩形開口２０ａに嵌め込まれている。遊技盤３０は木材で形成されており、矩形開口２０ａに嵌め込まれることにより本体枠２０に保持される。
【００３８】
遊技盤３０の前面側には遊技領域３１が形成されている。この遊技領域３１には、図示していないが、多数の釘や、複数の入賞口や、入賞しなかった遊技球をアウト球として回収するアウト球回収口や、遊技の状況を表示する表示装置などが配設されている。さらに、遊技盤３０に前面側から対面する樹脂製のガラス枠６０が本体枠２０の左端にて枢支されている。このガラス枠６０には、遊技領域３１と対面した透明なガラス６１が嵌め込まれているとともに、ガラス６１の周縁を取り囲むように装飾ランプ６２および上皿６３が配設されている。パチンコ遊技機１の稼働時にはガラス枠６０が閉じた状態となるが、ガラス６１を介して遊技領域３１を視認することが可能であり、同遊技領域３１における遊技状態を視認しつつ遊技を行うことができる。また、ガラス枠６０におけるガラス６１以外の部位を非透明とすることにより、遊技領域３１以外の部分を目隠ししている。
【００３９】
遊技領域３１に配設される釘等は日々調整を行う必要があるため、パチンコ遊技機１のメンテナンス時にはガラス枠６０を開放させることが可能とされている。ガラス枠６０の右側にはガラス枠６０の右端と本体枠２０とを固定する施錠装置６４が取り付けられている。従って、同施錠装置６４を解除するための鍵を使用しない限りガラス枠６０を開放させることができないようになっている。なお、ガラス枠６０の下部には上皿６３が備えられており、本体枠２０におけるガラス枠６０よりも下方には発射ハンドル４１や下皿７０等が取り付けられている。
【００４０】
図２は、本体枠２０とガラス枠６０とを開放させたパチンコ遊技機１を斜めから見て示している。同図において、本体枠２０は外枠１０に対して上下一対のヒンジ２１により枢支されており、これと反対側を自由端として回動することが可能となっている。なお、本体枠２０と外枠１０とが略平行となる状態が閉じた状態であり、この状態にて遊技が行われる。ガラス枠６０は本体枠２０と図示しないヒンジにより連結されており、施錠装置６４が取り付けられた側を自由端として回動することが可能となっている。なお、本体枠２０とガラス枠６０とが略平行となる状態が閉じた状態であり、この状態にて遊技が行われる。釘の調整等のメンテナンスを行う場合には、同図に示すようにガラス枠６０が前方に回動される。
【００４１】
図３は、パチンコ遊技機１を背面側から見て示している。同図において、パチンコ遊技機１の背面側にはメイン基板７１と音声ランプ制御基板７４と表示制御基板７５と電源基板７６と払出発射基板７７とガードユニット接続基板７８とスイッチ基板８６等といったパチンコ遊技機１を稼働させるために必要な各種基板がそれぞれ基板ボックスに収容されて取り付けられている。特に、主要な演算処理を行うためのＣＰＵ、ＲＯＭ７３等が実装されたメイン基板７１が収容された制御ボックス７２は強固に封止されており、同制御ボックス７２を開放して不正を行うことを防止している。音声ランプ制御基板７４と表示制御基板７５は通気口が形成されたカバー部８２によって背面側から覆われており、制御ボックス７２も同カバー部８２を下方に延設した延設部８２ａにより上部が背面側から覆われている。なお、図示しないがこれらの各種基板は互いにコネクタやケーブルを使用して接続されている。
【００４２】
また、パチンコ遊技機１の背面側には、上記のような各種基板のほかにタンクレール８１や遊技球タンク８４や払い出し装置ユニット８３等の遊技球の経路部品も配設されている。払い出し装置ユニット８３は、計数カウンタにより払い出し球をカウントして所定数の遊技球を払い出す遊技球払い出し機構８３ａ、タンクレール８１からの遊技球を遊技球払い出し機構８３ａに誘導するカーブ状に設けられた流路８３ｂ等を備えている。遊技球払い出し機構８３ａは、内蔵するモータの回転により遊技球タンク８４からタンクレール８１を伝って下方へ流下した遊技球を１個単位で放出することが可能となっている。
【００４３】
以上説明した各種機構部材は本体枠２０や遊技盤３０の背面にそれぞれ個別に取り付けるようにしても良いし、複数を集合させたユニット部材として取り付けるようにしても良い。本実施形態においては複数の機構部材を機構板８０に装着し、同機構部材を装着させた機構板８０を扉状のユニット部材として本体枠２０の背面側に取り付けている。なお、機構板８０は、カバー部８２や延設部８２ａを備えるため、本発明にいうカバー体に相当する。
【００４４】
図４は、機構板８０を取り外した状態のパチンコ遊技機１を背面から見て示している。同図において、機構板８０を取り外すことにより、本体枠２０にはメイン基板７１と音声ランプ制御基板７４と表示制御基板７５と電源基板７６と払出発射基板７７とガードユニット接続基板７８とが残留する。すなわち、これ以外のカバー部８２と延設部８２ａとタンクレール８１と遊技球タンク８４と払い出し装置ユニット８３とスイッチ基板８６は機構板８０に対して装着されており、機構板８０を取り外すことにより機構板８０とともに取り外される。なお、図４においては機構板８０に取り付けられる各種機構部材を説明するために機構板８０を取り外した状態のものを示したが、機構板８０は図３の紙面右側に配設された上下一対のヒンジ構造８５により回動させることが可能となっている。
【００４５】
図５は、機構板８０を回動させた状態のパチンコ遊技機１を上方から見て示している。なお、外枠１０が閉じた状態では外枠１０の内側と、機構板８０におけるヒンジ構造８５側に備えられるスイッチ基板８６や払い出し装置ユニット８３とが干渉して機構板８０を所定の角度より大きく回動させることができない。従って、同図では予め外枠１０を回動させてから機構板８０を回動させている。同図において、機構板８０を回動させることにより機構板８０に覆われていた部分を背面側に開放させることができる。従って、図３の状態においてカバー部８２と延設部８２ａにより背面側から覆われていたメイン基板７１と音声ランプ制御基板７４と表示制御基板７５を収容する基板ボックス７２等を図４のように背面側に開放させることができ、これらに対してメンテナンス等を行うことができる。しかし、簡単に機構板８０が開放されたり、取り外されたりすると、容易にメイン基板７１や音声ランプ制御基板７４や表示制御基板７５に不正が加えられてしまう。
【００４６】
なお、特に基板ボックス７２に収容されたメイン基板７１は、主要な処理を行うものであり不正の対象とされることが多い。また、基板ボックス７２によってメイン基板７１を強固に封止しても、基板ボックス７２ごと取り替えられることがあるため、機構板８０が不正に開放させられたり、取り外されたりしないようにすることが重要な課題となっている。
【００４７】
（２）ヒンジ構造について：
機構板８０は、図３に示す上下一対のヒンジ構造８５により回動可能とされており、同回動の自由端となる紙面左側の端部を固定部材８７，８７によって固定することにより不用意に回動することを防止している。そして、予め外枠１０に対して本体枠２０を回動させておき、固定部材８７，８７による固定を解除することにより、機構板８０を回動させて各種基板等を背面側に開放することができる。なお、固定部材８７は機構板８０と本体枠２０とを固定することができれば良く、種々のものを適用することができる。例えば、固定部材８７は機構板８０に共通する貫通穴を設け、同貫通穴において抜け止め係合される樹脂製キャップを使用するようにしても良い。また、施錠装置等を利用したり、ネジ止め固定を行ったりしても良い。
【００４８】
図６は、ヒンジ構造８５を背面側から見て示している。同図において、ヒンジ構造８５は上下二対の支軸９０ａ，９０ｂと軸受け２２ａ，２２ｂとから構成されている。図７に示すように金属製の支軸９０ａ，９０ｂは互いに同じ形状とされており、それぞれ軸方向を略鉛直に配向させている。支軸９０ａ，９０ｂはそれぞれ上端部にて略水平な連結面９１ａ，９１ｂと接合しており、下端部にて終端している。連結面９１ａ，９１ｂを機構板８０の内側まで延設することにより略板状の取り付け面９２ａ，９２ｂを形成し、同取り付け面９２ａ，９２ｂにて機構板８０に対してネジ止め固定を行っている。なお、連結面９１ａ，９１ｂと取り付け面９２ａ，９２ｂとは金属板材を屈曲させることにより形成されている。
【００４９】
一方、軸受け２２ａ，２２ｂには略水平な平面がそれぞれ形成されており、同平面にそれぞれ形成された貫通穴に支軸９０ａ，９０ｂが貫通することにより軸受けがされている。軸受け２２ａ，２２ｂをそれぞれ延設することにより略板状の取り付け面２３ａ，２３ｂが形成されている。そして、取り付け面２３ａ，２３ｂにおいて本体枠２０と軸受け２２ａ，２２ｂとがネジ止め固定されている。このようにすることにより、支軸９０ａ，９０ｂを回動軸として機構板８０を回動可能としつつ、機構板８０と本体枠２０とを相互に連結することができる。ただし、上述のとおり外枠１０に本体枠２０が嵌め入れられた状態では、外枠１０の内側と、スイッチ基板８６や払い出し装置ユニット８３とが干渉して、機構板８０を自由に回動させることができない。
【００５０】
図８は、上方の軸受け２２ａを斜めから見て示している。なお、同図においては、機構板８０を取り外した状態を示し、本体枠２０の図示を省略している。軸受け２２ａは金属板を屈曲させて形成した金属部材２５と、ポリアセタール（ＰＯＭ）を樹脂成型することにより形成した合成樹脂部材２４とから構成されている。合成樹脂部材２４はクランク状に屈曲した形状となっており、その一端側の板状面２４ｃにてネジ２７，２７によって金属部材２５における固定面２５ｄに固定されている。取り付け面２３ａは金属部材２５を下方に延設することにより形成されており、金属部材２５における固定面２５ｄを直角に屈曲させることにより形成されている。そして、取り付け面２３ａに形成されたネジ止め穴を利用して本体枠２０との固定が行われる。なお、本体枠２０における側面と背面とが直交する角部に、固定面２５ｄと取り付け面２３ａが外側から密着した状態で金属部材２５が固定される。
【００５１】
クランク状に屈曲する合成樹脂部材２４は、板状面２４ｃと、同板状面２４ｃと直交する密着面２４ｆとがそれぞれ固定面２５ｄと取り付け面２３ａに外側から密着するように取り付けられている。合成樹脂部材２４における密着面２４ｆから延設された略板状の梁状面２４ｄが背面側にその先端を配向させている。梁状面２４ｄは側方視において斜面が下方に配向した直角三角形状に形成されており、背面側の先端に近づくほど高さ方向の長さが短く形成されている。梁状面２４ｄの先端には上方視略三角板状の先端部２４ａが形成されており、先端部２４ａは略水平とされている。
【００５２】
一方、金属部材２５における取り付け面２３ａは上方に延設されており、その延設面を直角に屈曲させることにより水平面２５ａが形成されている。水平面２５ａと先端部２４ａはともに略水平に形成されており、水平面２５ａの下方から先端部２４ａが略密着させられている。水平面２５ａは先端側から切り欠き２５ｅが形成されており、同切り欠き２５ｅを側方から挟むように細板状の第一のガイド部２５ｂと第二のガイド部２５ｃとが形成されている。
【００５３】
図９は、切り欠き２５ｅを上方から見て示している。同図において、切り欠き２５ｅは側方から第一のガイド部２５ｂと第二のガイド部２５ｃによって挟まれており、奥部に円弧状に湾曲する第一の湾曲面２５ｆが形成されている。第一のガイド部２５ｂと第二のガイド部２５ｃにおける互いに内側に対向する面は略平行とされており、切り欠き２５ｅは略一定の幅となっている。また、第一のガイド部２５ｂと第二のガイド部２５ｃは前後方向に対して傾斜しており、切り欠き２５ｅも前後方向に対して傾斜している。
【００５４】
一方、合成樹脂部材２４における先端部２４ａは、先端ほど幅が狭くなる略三角形状に形成されており、前面側に円弧状に湾曲する第二の湾曲面２４ｅが形成されている。そして、第一の湾曲面２５ｆと第二の湾曲面２４ｅとが組み合わされることによって略円形の軸穴２６が形成されている。軸穴２６の径は支軸９０ａよりわずかに大きく形成されており、図に示すように支軸９０ａを貫通させて軸受けすることが可能となっている。
【００５５】
上方から見ると軸穴２６は、略Ｖ字状に形成された案内部Ａの奥部と隙間Ｓを介して接続しており、この隙間Ｓの幅は支軸９０ａの径よりも小さくされている。このようにすることにより、支軸９０ａを軸穴２６から背面側に抜けないようにすることができる。従って、支軸９０ａは軸穴２６の内部にて軸受け状態を保持しつつ回転することができる。すなわち、支軸９０ａが回転することにより、同支軸９０ａと接合された機構板８０は本体枠２０に対して回動可能となる。
【００５６】
一方、軸穴２６の背面側には、先端部２４ａと第二のガイド部２５ｃによって挟まれ、略Ｖ字状の案内部Ａが背面側に開口している。すなわち、案内部Ａを構成する二辺は、合成樹脂部材２４における先端部２４ａの斜面２４ｂと、金属部材２５における第二のガイド部２５ｃの内側面２５ｇとから構成されている。内側面２５ｇは一直線状に形成されており、斜面２４ｂは前後方向に対する傾斜角度が案内部Ａの奥部に近づくほど鋭角となるように滑らかに湾曲されている。なお、第二のガイド部２５ｃは前後方向に対して傾斜させられているため、案内部Ａも前後方向に対して傾斜している。
【００５７】
かかる構成により、図１０に示すように支軸９０ａを案内部Ａに侵入させて軸穴２６にて軸受けを行わせることができる。案内部Ａは背面側に開口する略Ｖ字状に形成されているため、同開口から支軸９０ａを背面側から水平に侵入させることができる。このとき、支軸９０ａは斜面２４ｂと内側面２５ｇに干渉して進行を阻まれるが、合成樹脂部材２４が変形することによって、支軸９０ａをさらに前面側に押し込むことができる。具体的には、支軸９０ａの進行方向に対して傾斜する斜面２４ｂにて支軸９０ａが先端部２４ａに接触することにより、支軸９０ａを前面側に押し進める力から先端部２４ａを外側に押し出す分力を生じさせることができる。
【００５８】
そして、同分力によって外側に押し出される先端部２４ａは梁状面２４ｄの自由端を構成するため、合成樹脂部材２４は梁状面２４ｄを撓ませて隙間Ｓを押し広げることができる。隙間Ｓの幅が支軸９０ａよりも大きく押し広げられると、支軸９０ａを軸穴２６に侵入させることができる。なお、隙間Ｓを大きく形成しておくことにより、梁状面２４ｄの撓み量を小さくすることができるため、支軸９０ａを軸穴２６に侵入させやすくすることができる。一方、隙間Ｓの幅を小さくすることにより、軸受け後に支軸９０ａを引き抜かれにくくすることができるため、両者を勘案して最適な隙間Ｓの大きさを設定することが望ましい。
【００５９】
また、案内部Ａは前後方向に対して傾斜しており、先端部２４ａの斜面２４ｂのみが背面側に対面している。従って、前面側に押圧される支軸９０ａの荷重を先端部２４ａの斜面２４ｂにて吸収し、効率よく梁状面２４ｄを撓ませることができる。すなわち、案内部Ａを支軸９０ａが侵入する際に支軸９０ａに対する押圧力が第二のガイド部２５ｃにおける内側面２５ｇに直接的に作用しないため、無駄な摩擦抵抗の発生を防止することができる。
【００６０】
ところで、支軸９０ａが案内部Ａの奥部に近づくほど梁状面２４ｄが撓んで斜面２４ｂの前後方向に対する傾斜角が大きくなる。しかしながら、斜面２４ｂは前後方向に対する傾斜角度が案内部Ａの奥部に近づくほど鋭角となるように滑らかに湾曲されているため、斜面２４ｂと前面側に進行する支軸９０ａとの接触角度の増加が抑制されている。従って、斜面２４ｂと支軸９０ａとの摩擦抵抗が増大することを抑制し、ほぼ一定の荷重で支軸９０ａを軸穴２６に侵入させることができる。例えば、支軸９０ａと斜面２４ｂとが直角に接触して、支軸９０ａを前面側に押圧する力の全てが支軸９０ａと斜面２４ｂとの摩擦力となることを防止することができる。
【００６１】
切り欠き２５ｅにおける第一の湾曲面２５ｆに当接するまで支軸９０ａを押し込むと、合成樹脂部材２４は原形状に復帰して、図９のように軸受け状態となる。なお、合成樹脂部材２４はＰＯＭを素材としており、良好な弾性を有している。また、合成樹脂部材２４をクランク状に屈曲させ一端側の板状面２４ｃにて固定を行い、もう一端側の先端部２４ａにて荷重を作用させることによって経路を長く確保することができるため、合成樹脂部材２４の撓み量を大きくすることができる。
【００６２】
本実施形態においては合成樹脂部材２４を取り付け面２３ａと固定面２５ｄとで内側から支持しているため撓み部分が梁状面２４ｄのみとなっているが、合成樹脂部材２４を取り付け面２３ａによって支持させないようにして、撓み量に余裕を持たせても良い。さらに、この場合、撓み方向を外側と前方側の二方向とすることができるため、より支軸９０ａに対する先端部２４ａの追従性を良くすることができる。なお、合成樹脂部材２４の素材は可撓性を有していれば良く、ＰＯＭに限られるものではない。例えば、ＰＥＴやＰＥＩやＰＥＥＫを使用することによっても良好な撓み量を確保することができる。むろん、その他の素材を適用することも可能である。
【００６３】
ただし、合成樹脂部材２４が撓むことが可能な量は大きければ大きいほど良いものではなく、軸受け状態における支軸９０ａの抜け止めのためにも、適度な反発力が得られる程度としておくことが好ましい。従って、本実施形態では合成樹脂部材２４を取り付け面２３ａと固定面２５ｄとで内側から支持させている。さらに、本実施形態においては軸穴２６と案内部Ａとの接続部を第二のガイド部２５ｃにおける内側面２５ｇに沿った位置に形成しているため、支軸９０ａの軸穴２６に対する抜け止めをより確実になものとしている。
【００６４】
すなわち、支軸９０ａを背面側に真っ直ぐに引っ張るとき、移動の先頭となる支軸９０ａの中心の背面側から軸穴２６と案内部Ａとの接続部をオフセットさせているため、同接続部に支軸９０ａが割り込んでいくことを防止することができる。なお、機構板８０は左右から外枠１０によって囲まれているため、機構板８０を持って支軸９０ａを背面側に真っ直ぐに引っ張ることは可能であるが、それ以外の方向に支軸９０ａを引き抜くことは困難となっている。また、軸穴２６に支軸９０ａを侵入させるためには、軸穴２６の直径が通過できるように軸穴２６の円周の最低限５０％を変位可能な合成樹脂部材２４で構成する必要がある。本実施形態では、軸穴２６の円周における合成樹脂部材２４の構成割合を最低限の５０％とすることにより、最大限軸穴２６の強度を確保している。また、合成樹脂の可撓性を利用して軸受けを行わせることにより、軸受け２２ａの構造を簡易なものにすることができる。従って、リサイクル性や製造コストも良好なものとすることができる。
【００６５】
図１１は、下方の軸受け２２ｂを斜めから見て示している。なお、同図においては、機構板８０を取り外した状態を示し、本体枠２０の図示を省略している。軸受け２２ｂは金属板で形成された取り付け面２３ｂを直角に屈曲させて形成した水平面２８を有している。そして、水平面２８の略中央部には長穴２８ａが形成されている。長穴２８ａは前後に長径方向を有しており、幅は支軸９０ｂの直径よりわずかに大きく一定とされている。このようにすることにより、支軸９０ｂを前後方向に傾斜させて軸受け穴としての長穴２８ａに差し込むことが可能となっている。
【００６６】
（３）機構板の取り付けについて：
図１２は、機構板８０をパチンコ遊技機１に取り付ける様子を側方から見て示している。同図において、図の簡略化のため外枠１０を破線で示し、機構板８０を単純な形状によって図示している。本体枠２０の背面側部分は外枠１０の厚み分だけ幅、高さが小さく形成されており、同背面側部分が外枠１０の内側に嵌め込まれている。機構板８０をパチンコ遊技機１に取り付けるにあたり、まず機構板８０に取り付けられた下方の支軸９０ｂを下方の軸受け２２ｂの長穴２８ａに挿し込む。このとき、機構板８０の上部が背面側に位置するように機構板８０が傾斜させられている。上述のとおり、長穴２８ａは前後方向に長径を有しているため、支軸９０ｂを挿し込んだときに前後に遊びを形成することができる。従って、機構板８０の上方が背面側に位置するように機構板８０を傾斜させることができる。
【００６７】
次に、図１３に示すように、長穴２８ａに対する支軸９０ｂの軸受けを維持したまま機構板８０が鉛直となるように機構板８０を起こしていく。すると、上方の軸受けに対して上方の支軸９０ａが略水平に接近し、図１０に示すように支軸９０ａが案内部Ａに侵入する。そして、支軸９０ａおよび機構板８０が鉛直となるとき、支軸９０ａが軸穴２６の内部に到達し、軸受けが完了する。これによって、上下の軸受け２２ａ，２２ｂの双方において軸受けが完了したこととなる。なお、軸受け後は、機構板８０の自重によって、機構板８０と接合する略水平な連結面９１ａ，９１ｂが本体枠２０に取り付けられた水平な面２５ａ，２８に当接する高さにて機構板８０が枢支されることとなる。
【００６８】
このように機構板８０が取り付けられ、固定部材８７によって同機構板８０の自由端を固定すると機構板８０に背面側から覆われる各種基板等を外部から保護することが可能となる。ただし、支軸９０ａ，９０ｂは軸受け２２ａ，２２ｂに対して上方に対して抜け止めされていない。従って、機構板８０を上方に持ち上げることにより支軸９０ａ，９０ｂの軸受け２２ａ，２２ｂに対する軸受けを解除することにより、機構板８０が取り外される可能性がある。
【００６９】
これに対して、本実施形態において支軸９０ａ，９０ｂの長さＬに対して機構板８０の上端と外枠１０の上面とのクリアランスＣを小さく形成している。そのため、機構板８０を上方に持ち上げても、支軸９０ａ，９０ｂの軸受け２２ａ，２２ｂに対する軸受けが解除される前に機構板８０の上部と外枠１０の上面とを干渉させることができる。従って、それ以上は機構板８０を上方に持ち上げることは不可能となり、支軸９０ａ，９０ｂの軸受け２２ａ，２２ｂに対する軸受けを解除することはできなくなっている。従って、外枠１０が閉じた状態においては、機構板８０を取り外す不正を防止することができる。
【００７０】
むろん、機構板８０を取り付けるにあたっても、支軸９０ｂの長さＬと同等のストロークだけ機構板８０を持ち上げて支軸９０ｂを軸受けさせなければならないが、上述のように機構板８０を後方に傾斜させておけば機構板８０の外枠１０に対する干渉を回避することができる。上方の軸受け２２ａに対して支軸９０ａを軸受けさせる際には機構板８０を上方に持ち上げることを要しないため、機構板８０と外枠１０とを干渉させることなく機構板８０を取り付けることができる。すなわち、本発明によれば機構板８０の取り付けを外枠１０が取り付けられた状態で行うことが可能であるとともに、それによって不正防止性が低下することが防止できる。
【００７１】
（４）第二の実施形態：
図１４は、第二の実施形態にかかる支軸１９０ａを斜めから見て示している。同図において、前実施形態と同様に連結面１９１ａと取り付け面１９２ａとが形成されており、連結面１９１ａから下方に向かって支軸１９０ａが立設されている。取り付け面９２ａを延設することにより、背面側から支軸１９０ａを覆う第一の保護面１９３ａを形成している。さらに、同第一の保護面１９３ａを前面側に屈曲して第二の保護面１９４ａを形成している。第二の保護面１９４ａにおける上方部分には切り欠き１９５ａが形成されている。なお、その他の構成については前実施形態と同様である。
【００７２】
かかる構成により、支軸１９０ａを軸受け２２ａにて軸受けすることにより、合成樹脂部材２４を第一の保護面１９３ａと第二の保護面１９４ａによって背面側および側方から保護することができる。従って、合成樹脂部材２４の先端部２４ａに外力が加えられ、合成樹脂部材２４が撓ませられることを防止し、機構板８０が不正に取り外されることを防止することができる。また、第二の保護面１９４ａにおける上方部分には切り欠き１９５ａを形成することにより、機構板８０を回動させる際に、第二の保護面１９４ａが軸受け２２ａに干渉することを防止することができる。
【００７３】
むろん、第一の保護面１９３ａと第二の保護面１９４ａは支軸１９０ａとともに移動するため、第一の保護面１９３ａと第二の保護面１９４ａが、支軸１９０ａを軸受け２２ａに軸受けさせることを阻害することもない。また、第一の保護面１９３ａと第二の保護面１９４ａは機構板８０の側から延設されていれば良く、連結面１９１ａや取り付け面９２ａから延設されるものに限られるものではない。例えば、機構板８０の側方端部を延設することによって保護面１９３ａ，１９４ａを形成しても良い。その場合、保護面１９３ａ，１９４ａを独立した部材として組み付けるようにしても良いし、機構板８０の構成部材と一体成型を行うようにしても良い。
【００７４】
（５）第三の実施形態：
図１５は、第二の実施形態にかかる支軸２９０ａを斜めから見て示している。同図において、第一の実施形態と同様に連結面２９１ａと取り付け面２９２ａとが形成されており、連結面２９１ａから下方に向かって支軸２９０ａが立設されている。取り付け面２９２ａを側方に延設することにより、板状の規制部２９６ａを形成している。規制部２９６ａは先端が支軸１９０ａに接近するように屈曲させられている。
【００７５】
図１６は、軸受け２２ａに支軸２９０ａを軸受けさせた状態を上方から見て示している。この状態において機構板８０が閉じるように支軸２９０ａを回動させると、規制部２９６ａの先端が合成樹脂部材２４における先端部２４ａの先端に当接する。このようにすることにより、機構板８０が閉じた状態においては、先端部２４ａを外側に変位させるように合成樹脂部材２４が撓ませられることを防止することができる。すなわち、本実施形態においても機構板８０が不正に取り外されることを防止することができる。
【００７６】
なお、本実施形態の軸受け状態において、軸穴２６と案内部Ａとが接続する部位に隙間を形成していないため、軸案２６は完全に閉じた状態となる。従って、より支軸２９０ａを背面側に抜けにくくすることができる。支軸２９０ａを軸穴２６に侵入させる際に、軸穴２６と案内部Ａとの間に支軸２９０ａを通過させるだけの隙間が形成されれば良く、軸受け状態において隙間が形成されなくても良い。
【００７７】
一方、支軸２９０ａを軸受け２２ａに軸受けさせる際には、機構板８０が少し開いた状態で支軸２９０ａを押し込めばよい。機構板８０を少し開いた状態とすることにより、規制部２９６ａは変位するため、規制部２９６ａと先端部２４ａの先端とは干渉し合わない位置関係となる。従って、軸受けを行うために合成樹脂部材２４が撓むことを規制部２９６ａが阻害しないようにすることができる。
【００７８】
（６）第四の実施形態：
図１７は、第四の実施形態にかかる遊技機としてのパチロットを斜めから見て示している。同図において、パチロット３０１もパチンコ遊技機と同様に外枠３１０および本体枠３２０とを有している。なお、パチロット３０１は、パチンコ機とスロットマシンとを融合させたものであり、その基本構成としては、「複数の識別情報からなる識別情報列を動的表示した後に識別情報を確定表示する可変表示手段を備え、始動用操作手段（例えば操作レバー３２１）の操作に起因して識別情報の動的表示が開始され、停止用操作手段（例えばストップボタン３２２）の操作に起因して、あるいは、所定時間経過することにより、識別情報の動的表示が停止され、その停止時の確定識別情報が特定識別情報であることを必要条件として、遊技者に有利な特別遊技状態を発生させる特別遊技状態発生手段とを備え、遊技媒体として球を使用するとともに、上記識別情報の動的表示の開始に際しては所定数の球を必要とし、特別遊技状態の発生に際しては多くの球が払い出されるように構成されている。
【００７９】
図１８は、パチロット３０１を背面側から見て示している。同図において、パチロット３０１における本体枠３２０の背面側には各種基板等が備えられている。そして、主要な基板を背面側から覆うカバー部３８２が機構板３８０と一体的に備えられている。機構板３８０は、紙面左端部において上下一対の固定部材３８７，３８７によって本体枠３２０に止着されている。紙面右端部においてヒンジ機構３８５によって回動可能に連結されている。ヒンジ機構３８５は前述した実施形態のヒンジ機構８５と同様な構成とされている。このようにすることにより、本発明をパチロットに対しても適用することができる。
【００８０】
（７）まとめ：
以上説明したように本発明を適用した遊技機によれば、支軸９０ａを軸受け２２ａに対して水平に侵入させることにより、支軸９０ａを軸受け２２ａに軸受けさせることができる。従って、支軸９０ａが取り付けられた機構板８０を上方に移動させなくても良いため、外枠１０と機構板８０とのクリアランスＣが小さくても、外枠１０を取り外すことなく機構板８０を本体枠２０に枢支させることができる。機構板８０を本体枠２０に枢支させた後には、支軸９０ａ，９０ｂを軸受け２２ａ，２２ｂから抜き取らなければ軸受けを解除することができないため、外枠１０と機構板８０とが干渉して機構板８０を取り外すことが不可能となる。また、合成樹脂部材２４によれば簡易な構成で済むため、部品コストやリサイクル性が悪化することもない。
【図面の簡単な説明】
【００８１】
【図１】第一の実施形態にかかるパチンコ遊技機の正面図である。
【図２】第一の実施形態にかかるパチンコ遊技機の斜視図である。
【図３】第一の実施形態にかかるパチンコ遊技機の背面図である。
【図４】第一の実施形態にかかるパチンコ遊技機の背面図である。
【図５】第一の実施形態にかかるパチンコ遊技機の平面図である。
【図６】第一の実施形態にかかるヒンジ構造の側面図である。
【図７】第二の実施形態にかかる支軸の斜視図である。
【図８】第一の実施形態にかかる軸受けの斜視図である。
【図９】第一の実施形態にかかる軸受けの平面図である。
【図１０】第一の実施形態にかかる軸受けの平面図である。
【図１１】第一の実施形態にかかる軸受けの斜視図である。
【図１２】第一の実施形態にかかるパチンコ遊技機の側面図である。
【図１３】第一の実施形態にかかるパチンコ遊技機の側面図である。
【図１４】第二の実施形態にかかる支軸の斜視図である。
【図１５】第三の実施形態にかかる支軸の斜視図である。
【図１６】第三の実施形態にかかる軸受けの平面図である。
【図１７】第四の実施形態にかかるパチロットの斜視図である。
【図１８】第四の実施形態にかかるパチロットの背面図である。
【符号の説明】
【００８２】
１…パチンコ遊技機
１０…外枠
２０…本体枠
２２ａ，２２ｂ…軸受け
２３ａ，２３ｂ…取り付け面
２４…合成樹脂部材
２４ａ…先端部
２４ｂ…斜面
２４ｃ…板状面
２４ｄ…梁状面
２４ｅ…湾曲面
２５…金属部材
２５ａ…水平面
２５ｂ，２５ｃ…ガイド部
２５ｄ…固定面
２６…軸穴
２７…ネジ
２８ａ…長穴
３０…遊技盤
６０…ガラス枠
７２…制御ボックス
８０…機構板
８５…ヒンジ構造
８６…スイッチ基板
８７…固定部材
９０ａ，９０ｂ，１９０ａ，２９０ａ…支軸
９１ａ，９１ｂ，１９１ａ，２９１ａ…連結面
９２ａ，９２ｂ，１９２ａ，２９２ａ…取り付け面
１９３ａ，１９４ａ…保護面
２９６ａ…規制部
３０１…パチロット
Ａ…案内部
【図１】
2005296273.tif 000003
【図２】
2005296273.tif 000004
【図３】
2005296273.tif 000005
【図４】
2005296273.tif 000006
【図５】
2005296273.tif 000007
【図６】
2005296273.tif 000008
【図７】
2005296273.tif 000009
【図８】
2005296273.tif 000010
【図９】
2005296273.tif 000011
【図１０】
2005296273.tif 000012
【図１１】
2005296273.tif 000013
【図１２】
2005296273.tif 000014
【図１３】
2005296273.tif 000015
【図１４】
2005296273.tif 000016
【図１５】
2005296273.tif 000017
【図１６】
2005296273.tif 000018
【図１７】
2005296273.tif 000019
【図１８】
2005296273.tif 000020